(57)【要約】【課題】床板の下面に折り畳み自在な脚体を一体に取り付けてなるプール用床を、使用や保管の際の便宜を損なうことなく、床板の高さを複数段階に調整できるように構成する。【解決手段】プール用床を、床板と、床板の下面に一体に取り付けられる折り畳み自在な複数の脚体と、脚体を構成する脚板の外面に着脱自在であって組み立てた脚体よりも低い高さに設けた複数の高さ調整脚とから構成する。プールを水中運動などのために利用する場合に、脚板に高さ調整脚を取り付けるとともに各脚体を折り畳んで小さく納めた状態でプール用床をプール底に設置し、高さ調整脚で床板を支持して、プールを水中運動に適した水深に設定する。【選択図】図１
2005273404.tif 000002
【特許請求の範囲】
【請求項１】
床板と、床板の下面に一体に取り付けられる折り畳み自在な複数の脚体と、脚体の外面に着脱自在な複数の高さ調整脚とからなるプール用床。
【請求項２】
下端にプールの底との接地部、上端に脚体外面に着脱し得る接続部をそれぞれ設けて形成されたプール用床の高さ調整脚。
【発明の詳細な説明】
【技術分野】
【０００１】
本発明は、プールの底に設置して水深を浅くするために使用されるプール用床と、その高さ調整脚に関する。
【背景技術】
【０００２】
競泳用のプールで幼児に水泳を教えるときなどに、プールの水深を浅くするためにプールの底に設置されるプール用床として、図９に示されるように、嵩上げ底となる床板９１の下面に折り畳み自在な複数の脚体９２を一体に取り付け、使用時は組み立てられた各脚体９２で床板９１をプール底から適宜な高さに支持し、不使用時には各脚体９２を床板９１の下側に折り畳めるようにした構成のものがある。
このプール用床は、床板９１の高さが脚体９２を組み立てた状態と折り畳んだ状態の二段階に調節され、組み立てた状態ではプールの水深を幼児が水泳するのに適した深さに設定し、折り畳んだ状態では省スペースに納めて保管できるように全体が低く小さな嵩に折り畳まるようなっていた（例えば特許文献１参照）。
【０００３】
【特許文献１】特開平１１−１５９１７４号公報
【発明の開示】
【発明が解決しようとする課題】
【０００４】
近時のプールは、水泳の他に、水中ウォーキングやジョギング、ダンスなどの水中で足をついて行う水中運動やトレーニングにも広く利用されている。水中運動などに効果的なプールの水深は各運動毎で異なることから、プール利用の態様に応じて水深を適宜に設定できるようにすることの要望も多い。
前記従来のプール用床は、脚体９２を組み立てた状態でプール底に設置すると、大人が水中運動するのに十分な深さとはならず、これを用いて水中運動に適した深さとするには、折り畳んだプール用床を複数段に重ねてプール底に設置する必要がある。しかし、これでは、各水中運動に適した所望の深さに調整できるものの、一度に多人数が水中運動できるようにプール底の広い面積を所定の水深にするためにプール用床が多数必要となって無駄が大きい。
一方、脚体の厚みを増したり脚体の取り付け位置を変更したりするなどして、折り畳んだ状態の高さが増すようにプール用床を形成し、これをプール底に設置することも考えられる。しかし、折り畳んだ状態の嵩が高くなったのでは、使用しないときのプール用床の収納効率が低下し、保管の便宜が悪くなる。また、各水中運動に適するように高さの異なるプール用床を揃え、或いは異なる高さの脚体を複数揃え、水中運動に応じて脚体を付け替えてプール用床を設置したのでは、部材の品揃えにコストが嵩み、プール用床の組み立てや設置も煩雑となって面倒である。
【０００５】
本発明は従来技術の有するこのような問題点に鑑み、床板の下面に折り畳み自在な脚体を一体に取り付けてなるプール用床を、使用や保管の際の便宜を損なうことなく、床板の高さを複数段階に調整できるように構成し、特定のサイズのプール用床で様々なプール利用形態に対応して使用できるようにすることを課題とする。
【課題を解決するための手段】
【０００６】
前記課題を解決するため本発明のプール用床は、床板と、床板の下面に一体に取り付けられる折り畳み自在な複数の脚体と、脚体の外面に着脱自在な複数の高さ調整脚とからなることを特徴とする。
【０００７】
また、本発明のプール用床の高さ調整脚は、下端にプールの底との接地部、上端に脚体外面に着脱し得る接続部をそれぞれ設けて形成されたことを特徴とする。
【０００８】
これによれば、プールを幼児の水泳教室などに利用する場合、脚体を組み立てた状態でプール用床をプール底に設置し、プール底を床板の下方で立設した脚体の高さ分だけ嵩上げしてプールの水深を浅くする。プールを水中運動などのために利用する場合は、脚体の外面に高さ調整脚を取り付けるとともに各脚体を折り畳んで小さく納めた状態でプール用床をプール底に設置する。この状態で、プール底に高さ調整脚が接地して床板を支持し、プールの水深はプール底を高さ調整脚の高さ分だけ嵩上げした深さとなる。また、プール用床を倉庫などに保管する場合には、高さ調整脚を脚体から取り外し、脚体を折り畳んで全体を小さく納めることにより、複数のプール用床を多段に重ねて保管場所に収納しておくことができる。
【０００９】
高さ調整脚は、プール底に設置されたプール用床に大人が複数人乗っても不陸を生じさせずに床板を安定的に支持することができるように各脚体に取り付けて使用される。各調整脚の取り付け位置は、組み立て及び折り畳まれる脚体と衝突し合わない位置となる、折り畳まれて床板の下側に平行に折り重なる脚体の最も外側の面内、すなわち脚体を構成する脚板を折り重ねた状態で外側に折り重なる脚板の外表面内に設定される。
折り畳まれた各脚体の外面から突出した高さ調整脚で床板を支持する場合、高さ調整脚が床板端辺近くに配置されている程、床板は安定して支持される。従って、高さ調整脚は、脚体を組み立て立設させたときに当該調整脚の表面が接地面に当たらないように取り付けられるが、床板の端部側の脚体においては、できる限り脚板の先端部側に寄せて取り付けることが好ましく、また、高さ調整脚が床板端辺近くに配置されるように、床板端部の脚体を床板周辺に近づけて取り付けることが好ましい。なお、床板端部の脚体にあっては、脚体を組み立て立設させたときに、当該脚板外側に取り付られた高さ調整脚が、床板の鉛直面内からはみ出さないように、脚体の取り付け位置又は向きが適宜に調整される。
また、高さ調整脚同士を重ね合わせ可能に形成すれば、未使用時に複数個を重ねて収納し保管することができて好ましい。高さ寸法の異なる高さ調整脚を複数組用意し、これらを選択して脚体に取り付けて使用することにより、一つのサイズのプール用床で、床板の支持高さを多段階に調整することができ、プールの水深をプール利用形態に応じて設定することが可能となる。
【発明を実施するための最良の形態】
【００１０】
本発明の好適な一実施形態を図面を参照して説明する。
図１は本発明のプール用床の底面側の外観図、図２はプール用床を構成する脚体の一例の外観図、図３は高さ調整脚の一例の外観図と脚体に取り付けた状態を示した図、図４は高さ調整脚の他の例の外観図、図５は高さ調整脚のさらに他の例の外観図と脚体に取り付けた状態を示した図、図６は図１のプール用床の使用態様を示した図である。
【００１１】
図１に示されるように、本発明のプール用床１は、プール底を嵩上げする床板２と、プール底に接地して床板２を適宜な高さに支持する折り畳み構造の複数の脚体３と、各脚体３の外面に取り付けられる複数の高さ調整脚４とにより構成されている。
【００１２】
床板２は、例えばプラスチック製の長尺板材を複数枚敷き詰めて形成した床構成体２１の下面に、適宜な間隔を離して向かい合わせに配したアングル材２２、２２を当該床構成体の短手辺と平行に互いに間隔を開けて複数組並置し、これらアングル材を各々ボルトやリベットなどの固着具（図示せず）で各板材に締着固定して、床構成体２１の上面を面一の連続面とした矩形状の床面に形成してある。対向配置された各組のアングル材２２、２２は、後述する脚体３の枠板３１の長手寸法と略同寸法離して配置され、アングル材２２、２２間に枠板３１を取り付けて、床板２の下面に脚体３を一体に固定できるように設けてある。
【００１３】
脚体３は、例えば図２に示されるように、床板２の下面に一体に取り付けられる矩形板状の枠板３１と、同じく矩形状をなす適宜な厚みの脚板３２、３３からなり、枠板３１の下面両端部に設けた軸部３１ａ、３１ｂに両脚板の元端部をそれぞれ回転自在に取り付けて構成してある。
詳しくは、各板はプラスチックを用いて一体成形加工により形成されており、枠板３１の軸部３１ｂは他端の軸部３１ａよりも枠板表面から脚板３２の厚み分だけ突出した位置に設けてあり、また、両脚板は、脚板３３の先端部内側に脚板３２の先端部外側を凹凸係合させて先端部同士を一体に接続するとともに係合を解除して接続した先端部同士を分離できるように設けてある。また、脚板３２の両側には、プール用床１をプール底に設置した際に、プール利用者が床下方空間に潜り込むことを防止するために設置される潜り込み防止板（図示せず）の支持部３２ａ、３２ａを突設してあり、脚板３３の外側面には後述する高さ調整脚４が取り付けされる被取付部３３ａが設けてある。
そして、脚体３は、枠板３１の下方で脚板３２、３３の先端部同士を接続することにより組み立てられ、その状態で両脚板は枠板３１の下方でＶ字型に立設して枠板３１を適宜な高さに支持し、また、前記接続した先端部同士を分離し、同図（Ｂ）に示されるように、枠板３１に脚板３２を折り重ね、さらに脚板３２の外側面に脚板３３を折り重ねることにより、各板を平行に重ね合わせて折り畳めるようになっている。なお、脚体３を折り畳んだ状態では、脚板３２、３３の重なり部に設けた連結機構（図示せず）を作動させて、各板が重なって折り畳んだ状態が保持されるように設けてある。
【００１４】
図１に示されるように、各脚体３は、床板２の下面中央とその両側に所定の間隔を開けて平行に配置されたアングル材２２、２２の間に枠板３１の上面を嵌め入れ、これを固着具で各アングル材に締着させて床板２の下面に一体に取り付けてある。図示した形態では、一組のアングル材２２、２２の間にそれぞれ二つの脚体３を取り付けてあり、各脚体３を組み立てた状態のプール用床１を水平な面上に設置した場合に、これら計６個の脚体３で床板２が水平に支安定して支持されるようになっている。なお、床板２の長手両側に位置する二組の脚体３、３は、各々脚板３３の被取付部３３ａに取り付た高さ調整脚４が床板２の鉛直面内からはみ出さないようにするため、各脚体３を組み立てた状態で脚板３３が床板内方を向くように取り付けてある。
【００１５】
高さ調整脚４は、例えば図３に示されるように、脚板３３の短手幅と略同じ幅寸法を有する、上部が開口した矩形箱状に形成することができる。
詳しくは、高さ調整脚４は、平面視矩形を呈する接地部４１の周縁部から周壁４２を斜め上方へ立ち上げるとともに、周壁４２の上端にその周縁を水平に外方へ折り返してなる接続部４３を設け、当該接続部内に固着具を嵌め入れる開孔４３ａを複数設けて形成してある。接地部４１から接続部４３までの高さは、Ｖ字型に立設した前記床板３２、３３の高さよりも低くなるように設定してある。
高さ調整脚４は、脚板３３の外側面に接続部４３を接合し、開孔４３ａに固着具を通してこれを前記被取付部３３ａに締着させることにより、同図（Ｂ）に示されるように、脚板３３の外側面であって脚体３を組み立て立設させたときに当該調整脚の表面が接地面に当たらない位置に取り付けられ、また、固着具の締着を解除して脚板３３から取り外し、取り外した高さ調整脚同士を複数重ね合わせて保管することができるように設けてある。
なお、図４に示されるように、プール用床１を水没させたときに、高さ調整脚４内に空気だまりができないよう、周壁４２に水捌け用の通孔４２ａを設けてもよい。また、図５に示されるように、高さ調整脚４を、長手幅が脚板３３の短手幅と略同じ幅寸法を有する、上部が開口した細長い矩形箱状に形成し、これを脚板３３の短手辺と平行に向けて、脚板３３の外側面に所定の間隔を空けて複数又は一つ着脱するようにしてもよい。図示されないが、各高さ調整脚４の接地部４１には滑り止め用のゴムが一体に固着される。
【００１６】
図１に示されるように、各調整脚４は、各脚体３の脚板３３の外面に各々取り付けてある。各脚板３３に取り付けられた高さ調整脚４は、それぞれ脚板３３の表面から垂直に突出し、各脚体３を折り畳んだ状態でプール用床１を水平な面上に設置した場合に、各調整脚４の接地部４１が水平面にそれぞれ接地して、床板２を水平に安定して支持するようになっている。
【００１７】
このように構成される本形態のプール用床１によれば、図６に示されるように、プールを幼児の水泳教室などに利用する場合、各脚体３を組み立てた状態でプール用床１をプール底Ｂに設置して、プール底Ｂ上で床板２を各脚体３で支持することにより、脚体３の高さ分だけプールの水深を浅くすることができる（同図（Ａ））。
プールを水中運動などのために利用する場合は、各脚体３を折り畳んで床板２の下方に小さく納めた状態でプール用床１をプール底Ｂに設置して、プール底Ｂ上で床板２を各調整脚４で支持することにより、高さ調整脚４の高さ分だけプールの水深が浅くなり、大人が水中運動をするのに適した深さに調整することができる（同図（Ｂ））。
また、プールを大人が水泳するのに適した深さとするため、プール用床１をプールから引き上げ、倉庫などに保管しておく場合には、各調整脚４を各脚板３３から取り外し、各脚体３を折り畳んで全体を小さく納めることにより、複数のプール用床１を多段に重ねて保管場所に収納しておくことができる。（同図（Ｃ））。この場合、取り外した各調整脚４も、上下に重ね合わせ一体にまとめて保管場所に収納しておくことができる。
【００１８】
図７は本発明の他の実施形態のプール用床の底面側の外観図、図８は本形態の高さ調整脚と脚体を分離した状態と一体に取り付けた状態を示した図である。両図に示されるように、この形態のプール用床１は、細長い矩形箱状に形成された高さ調整脚５、５を、その長手方向が脚板３３の長手辺と平行となるように、つまり高さ調整脚５、５の長手方向を鉛直方向に向けて、脚板３３の外側面の両側部分に着脱するように構成したものである。
【００１９】
詳しくは、高さ調整脚５は、平面視矩形を呈する接地部５１の周縁から周壁５２を斜め上方へ立ち上げるとともに、長手辺を画する対向した周壁５２の上端に外方へ折れた接続部５３を設けて、上部が開口した箱状に形成してある。
高さ調整脚５の長手幅は、脚板３３の長手幅の２／３程度の幅寸法に設定され、また、接地部５１から接続部５３までの高さは、Ｖ字型に立設した前記床板３２、３３の高さよりも低くなるように設定してある。接続部５３は、対向した周壁５２の一方の縁部を外方へ適宜な幅折り返し、さらにその端部を屈曲させてなる側部接続部５３ａと、他方の周壁５２の縁部を外方へ適宜な幅折り返してなる内部接続部５３ｂからなり、側部接続部５３ａを脚板３３の側端面に抱き込むように接合させるとともに、内部接続部５３ｂを脚板３３の外側面内に接合させ、且つ接合面内に固着具を嵌め入れ締着させることにより脚板３３の被接続部３３ａに高さ調整脚５を取り付け、また、固着具の締着を解除して脚板３３から取り外せるようになっている。取り外した高さ調整脚同士を複数重ね合わせて保管できることは前記形態と同様である。
また、高さ調整脚５の短手辺を画する対向した周壁５２の上端には空気抜きのための切り欠き５２ａが設けられ、接地部５１内には水抜き用の通孔５１ａを設けてある。さらに、接地部５１には、滑り止め用のゴム５１ｂが一体に固着してある。
そして、図７に示されるように、各調整脚５は、各脚体３の脚板３３の外側面の両側に、脚板３３の表面から垂直に突出させて取り付けてあり、各脚体３を折り畳んだ状態でプール用床１を水平な面上に設置した場合に、各調整脚５の接地部５１が水平面にそれぞれ接地して、床板２を水平に安定して支持するようになっている。
【００２０】
このように構成される本形態のプール用床１によれば、前記形態と同様に、床板２の支持高さを、組み立てた脚体３の高さと、高さ調整脚５の高さとに調整して、プールの水深を調節することができるとともに、各調整脚５が各脚板３３の外側面に鉛直方向に沿って取り付けてあるので、プール底に設置するためプール用床１をプール内に水没させる際に、水からの抵抗を受ける面積が少なく、スムーズに水没させて設置することができる。  
また、プール用床１を倉庫などに保管しておく場合にも、前記と同様に、高さ調整脚５を脚板３３から取り外し、各脚体３を折り畳んで全体を小さく納めて、取り外した高さ調整脚５とともにプール用床１を保管場所に収納しておくことができる。
【００２１】
前記各形状の高さ調整脚４、５において、高さ寸法の異なる高さ調整脚４、５を複数組用意しておき、これらをプール利用形態に応じて適宜選択して脚体３に取り付けることにより、一つのサイズのプール用床１を、床板２の支持高さを複数段階に調整して使用することができ、プールを各種の水中運動に応じた深さに細かく設定することが可能である。
【００２２】
なお、図示した床板２、脚体３及び高さ調整脚４、５の形態は一例であり、本発明は他の適宜な形態で構成可能である。また、高さ調整脚４、５を脚板３３に取り付ける手段として、接続部４３、５３に固着具を通して締着させる形態を示したが、これに限らず、アンダーカットやボルト、リベットなどを用いて取り付けてもよく、要は接続部４３、５３が脚体３に対して着脱自在な構造であればよい。
【図面の簡単な説明】
【００２３】
【図１】本発明のプール用床の一実施形態の底面側の外観図である。
【図２】プール用床を構成する脚体の一例の組み立てた状態の外観図（Ａ）と折り畳む過程の状態を示した図（Ｂ）である。
【図３】図３は高さ調整脚の一例の外観図（Ａ）と脚体に取り付けた状態を示した図（Ｂ）である。
【図４】高さ調整脚の他の例の外観図である。
【図５】高さ調整脚のさらに他の例の外観図（Ａ）と脚体に取り付けた状態を示した図（Ｂ）である。
【図６】（Ａ）〜（Ｃ）は図１のプール用床の使用態様を示した図である。
【図７】本発明のプール用床の他の実施形態の底面側の外観図である。
【図８】図７の高さ調整脚と脚体を分離した状態と一体に取り付けた状態を示した図である。
【図９】従来のプール用床の脚体を組み立てた状態（Ａ）と折り畳んだ状態（Ｂ）の要部側面図である。
【符号の説明】
【００２４】
１  プール用床、２  床板、２１  床構成体、２２  アングル材、３  脚体、３１  枠板、３２、３３  脚板、４、５  高さ調整脚
【図１】
2005273404.tif 000003
【図２】
2005273404.tif 000004
【図３】
2005273404.tif 000005
【図４】
2005273404.tif 000006
【図５】
2005273404.tif 000007
【図６】
2005273404.tif 000008
【図７】
2005273404.tif 000009
【図８】
2005273404.tif 000010
【図９】
2005273404.tif 000011